(57)【要約】【課題】容器に入れられた飲料物が炭酸飲料であった場合でもストローが容器から脱落するのを防止することができ、しかも複雑な作業工程を経ることなしに使用可能なストロー保持具およびストロー装置を提供する。【解決手段】ストロー保持具２は、液面に浮く浮揚体４と、上記浮揚体４を中央にて貫通し、ストロー３を着脱自在に挿入可能とするストロー挿入孔８と、ストロー挿入孔８の一方の端部の周りに設けられた錘９と、を備え、液面にストロー３を起立状態で浮揚させるものである。【選択図】図１
2011250902.tif 000002
【特許請求の範囲】
【請求項１】
液面にストローを起立状態で浮揚させるストロー保持具であって、
液面に浮く浮揚体と、
前記浮揚体を中央にて貫通し、前記ストローを着脱自在に挿入可能とするストロー挿入孔と、
前記ストロー挿入孔の一方の端部の周りに設けられた錘と、を備えることを特徴とするストロー保持具。
【請求項２】
前記浮揚体は球状をなす、請求項１に記載のストロー保持具。
【請求項３】
前記錘は、環状をなす、請求項１または２に記載のストロー保持具。
【請求項４】
前記浮揚体は、内部空間を区画形成するケースを有し、該内部空間の一部に保冷剤を充填してなる、請求項１〜３のいずれか一項に記載のストロー保持具。
【請求項５】
前記ストロー保持具は、前記浮揚体の周りに取り付けられ、前記浮揚体の浮揚を補助してストローの起立状態を安定化させる浮揚補助部材を備える、請求項１〜４のいずれか一項に記載のストロー保持具。
【請求項６】
請求項１〜５のいずれか一項のストロー保持具と、該ストロー保持具のストロー挿通孔に挿設されたストローとを備えることを特徴とするストロー装置。
【請求項７】
液面に浮き、飲料物を通過させる通路が中央に貫通形成された浮揚体と、
前記通路につながる通路を形成し、前記浮揚体に一体に連結されたストロー部材と、
前記浮揚体の通路の、前記ストロー部材から遠方の端部の周りに設けられた錘と、を備えることを特徴としたストロー装置。
【請求項８】
前記浮揚体は球状をなす、請求項７に記載のストロー装置。
【請求項９】
前記錘は、環状をなす、請求項７または８に記載のストロー装置。
【請求項１０】
前記浮揚体は、内部空間を区画形成するケースを有し、該内部空間の一部に保冷剤を充填してなる、請求項７〜９のいずれか一項に記載のストロー装置。
【請求項１１】
前記ストロー装置は、前記浮揚体の周りに取り付けられ、前記浮揚体の浮揚を補助してストロー部材の起立状態を安定化させる浮揚補助部材を備える、請求項７〜１０のいずれか一項に記載のストロー保持具。
【発明の詳細な説明】
【技術分野】
【０００１】
この発明はストローを保持するストロー保持具に関し、また、ストローを備えるストロー装置に関し、特には、飲料物の入った容器内にストローを投入した際に、ストローが該容器から脱落するのを防止するものに関する。
【背景技術】
【０００２】
ストローは、飲料物の入った容器内に入れ、飲料物を吸い飲むために多用されているが、特にその飲料物が炭酸飲料であった場合には、ストローの周囲に気泡が付着し、その浮力によってストローが浮き上がり、場合によっては容器から脱落するという現象がしばしば見られる。これを防止するため、従来、特許文献１には、容器の形状に合った湾曲狭持部と、ストロー支持のためのストロー支持部と、これらの湾曲狭持部およびストロー支持部相互間を連結する連結部とからなり、容器の上端縁に湾曲狭持部を固定し、ストロー支持部にストローを取り付けることにより、ストローの使用に際してストローの位置固定を可能とするストロー支持具なるものが提案されている。
【先行技術文献】
【特許文献】
【０００３】
【特許文献１】特開２００３−２８４６３５号公報
【発明の概要】
【発明が解決しようとする課題】
【０００４】
しかしながら、従来のような、容器に取り付けるタイプの支持具では、飲料物を入れる容器によっては、湾曲狭持部の形状と容器上端縁の形状とが一致せず使用できないという不具合があり、また、使用にあたっては、まず湾曲狭持部を容器に固定し、それからストローをストロー支持部に取り付け、場合によっては、ストローの高さを調整しなければならず、作業が煩雑であるといった問題があった。
【０００５】
それゆえ、この発明は、容器の形状を問わず使用でき、容器に入れられた飲料物が炭酸飲料であった場合でもストローが容器から脱落するのを防止することができ、しかも複雑な作業工程を経ることなしに使用可能なストロー保持具およびストロー装置を提供することを目的とする。
【課題を解決するための手段】
【０００６】
この発明は上記課題を解決するためになされたものであり、この発明のストロー保持具は、液面にストローを起立状態で浮揚させるストロー保持具であって、液面に浮く浮揚体と、上記浮揚体を中央にて貫通し、上記ストローを着脱自在に挿入可能とするストロー挿入孔と、上記ストロー挿入孔の一方の端部の周りに設けられた錘と、を備えることを特徴とするものである。
【０００７】
かかるストロー保持具にあっては、ストロー挿通孔にストローを挿入し、飲料物の入った容器内に投入すると、ストロー挿入孔の一方の端部の周りに錘が設けられていることから、錘が設けられている側を下にして浮揚体は液面に浮き、ストローは水面に対して起立状態に保持される。そして、ストロー保持具は常に液面に浮いた状態にあるので、飲料物が炭酸飲料であった場合でもストローが容器から脱落することがない。
【０００８】
したがって、この発明のストロー保持具にあっては、容器の形状を問わず使用でき、容器に入れられた飲料物が炭酸飲料であった場合でもストローが容器から脱落するのを防止することができ、しかも使用開始にあたっては容器内の飲料物に投入するだけでよく、複雑な作業工程を経ることなしに使用可能である。
【０００９】
なお、この発明のストロー保持具にあっては、浮揚体は球状をなすことが好ましい。
【００１０】
また、この発明のストロー保持具にあっては、錘は、環状をなすことが好ましい。
【００１１】
さらに、この発明のストロー保持具にあっては、浮揚体は、内部空間を区画形成するケースを有し、該内部空間の一部に保冷剤を充填してなることが好ましい。
【００１２】
しかも、この発明のストロー保持具にあっては、ストロー保持具は、浮揚体の周りに取り付けられ、浮揚体の浮揚を補助してストローの起立状態を安定化させる浮揚補助部材を更に備えることが好ましい。
【００１３】
また、上記課題を解決するため、この発明のストロー装置は、上記発明のストロー保持具と、該ストロー保持具のストロー挿通孔に挿設されたストローとを備えることを特徴とするものである。
【００１４】
また、上記課題を解決するため、この発明のストロー装置は、液面に浮き、飲料物を通過させる通路が中央に貫通形成された浮揚体と、上記通路につながる通路を形成し、上記浮揚体に一体に連結されたストロー部材と、上記浮揚体の通路の、上記ストロー部材から遠方の端部の周りに設けられた錘と、を備えることを特徴としたものである。
【００１５】
なお、この発明のストロー装置にあっては、浮揚体は球状をなすことが好ましい。
【００１６】
また、この発明のストロー装置にあっては、錘は、環状をなすことが好ましい。
【００１７】
さらに、この発明のストロー装置にあっては、浮揚体は、内部空間を区画形成するケースを有し、該内部空間の一部に保冷剤を充填してなることが好ましい。
【００１８】
しかも、この発明のストロー装置にあっては、浮揚体の周りに取り付けられ、浮揚体の浮揚を補助してストロー部材の起立状態を安定化させる浮揚補助部材をさらに備えることが好ましい。
【発明の効果】
【００１９】
かくして、この発明によれば、容器の形状を問わず使用でき、容器に入れられた飲料物が炭酸飲料であった場合でもストローが容器から脱落するのを防止することができ、しかも複雑な作業工程を経ることなしに使用可能なストロー保持具およびストロー装置を提供することが可能となる。
【図面の簡単な説明】
【００２０】
【図１】この発明の実施形態にかかるストロー装置およびストロー保持具を示す図であり、（ａ）は斜視図、（ｂ）は正面図である。
【図２】図１（ｂ）のＩ−Ｉ線に沿う断面図である。
【図３】図１のストロー装置を容器内の飲料物内に投入した使用状態を示す斜視図である。
【図４】この発明の他の実施形態に係るストロー装置およびストロー保持具を、図２と同様の断面で示した断面図である。
【図５】この発明の他の実施形態に係るストロー装置およびストロー保持具を、図２と同様の断面で示した断面図である。
【図６】この発明の他の実施形態に係るストロー装置およびストロー保持具を、容器内の飲料物内に投入した使用状態を示す斜視図である。
【図７】この発明の他の実施形態に係るストロー装置およびストロー保持具を、図２と同様の断面で示した断面図である。
【発明を実施するための形態】
【００２１】
以下、図面に示す実施の形態を参照して、この発明を詳細に説明する。なお、図中、符号１は、ストロー装置を示し、符号２は、ストロー保持具を示し、符号３は、ストローを示している。
【００２２】
図１に示すストロー装置１は、ストロー保持具２に形成された後述のストロー挿通孔８に別体としてのストロー３を挿入してなるものである。
【００２３】
具体的には、図２に示すように、ストロー保持具２は、略球状をなし、液面に浮揚する浮揚体４からなり、浮揚体４は、上下一対の半割部材５、６を互いに接合してなり、内側に密封された内部空間を区画形成するケース７を有する。各半割部材５、６は、中央に開口（ストロー挿通孔８を形成する開口）を有する半球状の外側壁５ａ、６ａと、該外側壁５ａ、６ａの上記開口の周縁からケース７の中心に向けて垂下あるいは起立し、ストロー３が挿入されるストロー挿通孔８を形成するパイプ状の内側壁５ｂ、６ｂとをそれぞれ有してなり、したがって外側壁５ａ、６ａと内側壁５ｂ、６ｂとの間には環状スペースが形成されている。ケース７は、透明、半透明または有色の合成樹脂からなり、外部から衝撃が加わっても破損し難くなっているがこれに限定されず、例えばガラス製としてもよい。ケース７の上半球を構成する半割部材５と下半球を構成する半割部材６とは、外側壁５ａおよび内側壁５ｂの各下端５ｃ、５ｄと、外側壁６ａおよび内側壁６ｂの各上端６ｃ、６ｄとのアンダーカット係合、接着または溶着により互いに接合することができる。
【００２４】
また、ストロー挿入孔８の一方の端部の周り、すなわち下側の半割部材６の外側壁６ａおよび内側壁６ｂ相互間に形成された環状スペースには、該内側壁６ｂの外周を取り囲むように環状の錘９が配設されている。錘９は、接着剤等によりケース７の底部に接着してもよく、あるいは嵌着してもよく、あるいは単にケース７の底部に載置し後述の浮力部材によって押圧保持するようにしてもよい。錘９としては、ステンレス、鉄、真鍮、鉛、亜鉛またはこれらの合金等を用いることができこれらに限定されない。また、環状の薄肉金属板を複数枚重ねるようにして錘９を形成してもよく、これによれば錘９の重量調整を容易に行うことが可能となる（図示省略）。さらに、錘９の形状は環状に限定されず、複数の錘を内側壁６ｂの周りに点在させてもよい。さらに、ケース７の底部に環状スペースを周方向に複数に区切る隔壁を設け、これらの隔壁相互間に錘９を配設するようにしてもよい（図示省略）。
【００２５】
また、ケース７内の内部空間には、錘９の上部に、発泡ポリウレタンや発泡ポリスチレン等の合成樹脂から形成されて浮揚体４に浮力を生じさせる浮力部材１０が配設されている。なお、浮力部材１０としては水よりも比重が軽ければよく、発泡樹脂の他、気体（空気）や木材を使用してもよい（図示省略）。また、浮力部材１０および錘９の外面には、適宜、色彩を付したり模様を描いたりしてもよく、これによれば、ケース７を透明または半透明とすることにより外部からその色彩等を視覚を通じて認識することができるようになり、勿論、ケース７自在に色彩を付したり模様を描いたりして色彩等を認識できるようにしてもよく、いずれにせよ美観としてさらに愛らしいものとすることができる。
【００２６】
このようなストロー保持具２を使用するにあたっては、図３に示すように、浮揚体４のストロー挿通孔８にこれに適合したストロー３を挿入し、飲料物の入った容器Ｃに投入するだけでよく、そうすると浮揚体４の下部に錘９が設けられていることから、錘９が設けられている側を下にして浮揚体４は液面に浮き、ストロー３は水面に対して起立状態に保持されることとなる。ストロー挿通孔８の下端またはストロー３の下端は常に液面より下に位置するため、ストロー３の上端から吸引することで容器Ｃ内の飲料物を吸い飲むことができる。そして、ストロー保持具２は常に液面に浮いた状態にあるので、飲料物が炭酸飲料であった場合でもストロー３が容器Ｃから脱落するようなことはない。なお、ストロー３の下端位置は、浮揚体４のストロー挿通孔８の下端に一致させる必要はなく、浮揚体４の下部よりも下方に突出させてもよく、これによれば、ストロー３の起立状態をより安定化させることができるとともに、容器Ｃ内に氷が多く残留する場合であっても最後まで飲料物を吸い飲むことが可能となる（図示省略）。
【００２７】
また、このストロー保持具２にあっては、浮揚体４を球状としたことから、液面にて安定して浮揚させることができ、見た目にも飴菓子のようで愛らしいものとなる。
【００２８】
さらに、このストロー保持具２にあっては、錘９を環状としたことから、ストロー３をより安定して起立状態に保持することができる。
【００２９】
しかも、このストロー装置１にあっては、ストロー３の下部にストロー３に比べて幅広の浮揚体４が設けられていることから、マドラーとして容器Ｃ内の飲料物を効率よくかき混ぜることができる。
【００３０】
また、外部から力を与えてあげれば、図３に仮想線および矢印で示すように、ストロー装置１は振り子のよう動作し、特に、ストロー保持具２からストロー３の上端までの長さを比較的長く設定することで、その振幅は大きなものとなり、長時間にわたってその揺れを保持することができ、飲食店などで客を楽しませることができる。
【００３１】
以下、この発明の他の実施形態について図面を参照して説明する。なお、先の実施形態と同様の要素には同一または同様の符号を付し、その説明は省略する。
【００３２】
図４に示す他の実施形態にかかるストロー保持具２は、錘９と浮上部材１０との間に例えばゲル状の保冷剤１１が充填されている点で先の実施形態とは異なるものである。かかる実施形態によれば、上述の効果に加えてストロー保持具２によって容器Ｃ内の飲料物の冷却を行うことが可能となる。なお、通常、ストロー装置１を液面に浮揚させた際、上側の半割部材５と下側の半割部材６とでは、飲料物との接触面積が下側の半割部材６の方が大となるため、保冷剤１１は少なくとも下側の半割部材６内に設けることが好ましい。
【００３３】
図５に示す他の実施形態では、ストロー保持具２は、先の実施形態と異なりケース７を備えておらず、すなわち浮揚体４は、中央にストロー挿通孔８を形成する略球状の合成樹脂製あるいは木製等の浮上部材１０と、浮揚体４の下部でストロー挿通孔８を取り囲む錘９とからなり、これによれば、部品点数を削減することができ安価に製作できる。なお、ここでは錘９は浮上部材１０内に埋設しているが、浮上部材１０の下部に取り付けるようにしてもよい。
【００３４】
次いで、図６に示す他の実施形態では、ストロー保持具２は、浮揚体４の周りに一体または別体として取り付けられ、浮揚体４の浮揚を補助してストロー３の起立状態を安定化させるリング状の浮揚補助部材１３を備えている。浮揚補助部材１３は、複数個所（図示例では4箇所）にて連結片１４を介して浮揚体４のケース７に連結されている。浮揚補助部材１３は、合成樹脂製または木製としてもよく、中空であっても中実であってもよく、中空とした場合には内部に保冷剤を充填してもよい。
【００３５】
この実施形態によれば、浮揚体４内の浮力部材１０の量を減らし、その減量分図４の実施形態で説明した保冷剤１１をケース７内に多めに充填した場合でもストロー３の起立状態を安定化させることができ、また見た目にもユニークであるとともに愛らしいものとすることができる。
【００３６】
図７に示す他の実施形態にかかるストロー装置１では、浮揚体４に管状のストロー部材３’が一体に設けられており、すなわち、このストロー装置１は、液面に浮き、飲料物を通過させる通路１５が中央に貫通形成された浮揚体４と、該通路１５につながる通路１６を形成し、浮揚体４のケース７の上半球を構成する上側の半割部材５の開口周縁から一体に、内側壁５ｂとは反対側に立ち上がるストロー部材３’と、浮揚体４の通路１５の、ストロー部材３’から遠方の端部、すなわち下側の半割部材６の外側壁６ａおよび内側壁６ｂｂ相互間でなす環状スペースに配設された錘９とを備えてなるものである。
【００３７】
かかる実施形態によれば、ストロー部材３’と浮揚体４とを一体成形したので、上述の実施形態のように、ストロー３をストロー挿通孔８に挿入するという作業を不要とすることができ、より簡単に使用することができる。なお、このストロー装置１にあっては、勿論、上述の実施形態と同様、ケース７内に保冷剤１１を設けたり、浮揚体４の周囲に浮揚補助部材１３を設けたりすることができる。
【００３８】
以上、図示例に基づき説明したが、この発明は上述の実施形態に限定されるものでなく、特許請求の範囲の記載範囲内で適宜変更することができるものであり、例えば、浮揚体４の形状は球状に限らず、柱形状や錐形状としてもよい。また、錘９としても金属製に限らず、石やコンクリートとしてもよい。また、錘９は、ストロー挿通孔８の周りに均等に配置する必要はなく、周上の特定箇所に偏って配置することができ、これによれば、ストロー３を特定方向に傾いた状態に保持することができ、これはこれで愛らしいものとなる。またストロー３またはストロー部材３’の断面形状も円形に限らず、楕円形、多角形、星型等適宜変更することができる。
【産業上の利用可能性】
【００３９】
かくして、この発明のストロー保持具およびストロー装置によれば、容器の形状を問わず使用でき、容器に入れられた飲料物が炭酸飲料であった場合でもストローが容器から脱落するのを防止することができ、しかも複雑な作業工程を経ることなしに使用することができ、デザイン上にも愛らしいものとなる。
【符号の説明】
【００４０】
１  ストロー装置
２  ストロー保持具
３  ストロー
３’  ストロー部材
４  浮揚体
７  ケース
８  ストロー挿通孔
９  錘
１０  浮上部材
１１  保冷剤
１３  浮揚補助部材
【図１】
2011250902.tif 000003
【図２】
2011250902.tif 000004
【図３】
2011250902.tif 000005
【図４】
2011250902.tif 000006
【図５】
2011250902.tif 000007
【図６】
2011250902.tif 000008
【図７】
2011250902.tif 000009